【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
突然変異体Ｓｏｌｙｃ０４ｇ００５３２０遺伝子又はそのホモログを含む遺伝子組み換えナス科（Ｓｏｌａｎａｃｅａｅ）植物。
【請求項２】
前記突然変異体Ｓｏｌｙｃ０４ｇ００５３２０遺伝子又はそのホモログが、ヌル対立遺伝子又は低次形態対立遺伝子である、請求項１に記載の遺伝子組み換えナス科（Ｓｏｌａｎａｃｅａｅ）植物。
【請求項３】
前記遺伝子組み換えナス科（Ｓｏｌａｎａｃｅａｅ）植物が、前記突然変異体Ｓｏｌｙｃ０４ｇ００５３２０遺伝子又はそのホモログに対してヘテロ接合型又はホモ接合型である、請求項１又は２に記載の遺伝子組み換えナス科（Ｓｏｌａｎａｃｅａｅ）植物。
【請求項４】
前記植物が、突然変異体Ｓｏｌｙｃ１２ｇ０３８５１０遺伝子又はそのホモログをさらに含み、前記突然変異体Ｓｏｌｙｃ１２ｇ０３８５１０遺伝子又はそのホモログが、ヌル対立遺伝子又は低次形態対立遺伝子である、請求項１〜３のいずれか一項に記載の遺伝子組み換えナス科（Ｓｏｌａｎａｃｅａｅ）植物。
【請求項５】
前記遺伝子組み換えナス科（Ｓｏｌａｎａｃｅａｅ）植物が、前記突然変異体Ｓｏｌｙｃ１２ｇ０３８５１０遺伝子又はそのホモログに対してヘテロ接合型又はホモ接合型である、請求項４に記載の遺伝子組み換えナス科（Ｓｏｌａｎａｃｅａｅ）植物。
【請求項６】
前記植物が、突然変異体Ｓｏｌｙｃ０３ｇ１１４８４０遺伝子又はそのホモログをさらに含み、前記突然変異体Ｓｏｌｙｃ０３ｇ１１４８４０遺伝子又はそのホモログが、ヌル対立遺伝子又は低次形態対立遺伝子である、請求項１〜３のいずれか一項に記載の遺伝子組み換えナス科（Ｓｏｌａｎａｃｅａｅ）植物。
【請求項７】
前記遺伝子組み換えナス科（Ｓｏｌａｎａｃｅａｅ）植物が、前記突然変異体Ｓｏｌｙｃ０３ｇ１１４８４０遺伝子又はそのホモログに対してヘテロ接合型又はホモ接合型である、請求項６に記載の遺伝子組み換えナス科（Ｓｏｌａｎａｃｅａｅ）植物。
【請求項８】
前記植物が、突然変異体Ｓｏｌｙｃ１２ｇ０３８５１０遺伝子又はそのホモログ及び突然変異体Ｓｏｌｙｃ０３ｇ１１４８４０遺伝子又はそのホモログの両方をさらに含み、これらのそれぞれが、独立して、ヌル対立遺伝子又は低次形態対立遺伝子である、請求項１〜３のいずれか一項に記載の遺伝子組み換えナス科（Ｓｏｌａｎａｃｅａｅ）植物。
【請求項９】
前記遺伝子組み換えナス科（Ｓｏｌａｎａｃｅａｅ）植物が、前記突然変異体Ｓｏｌｙｃ１２ｇ０３８５１０遺伝子又はそのホモログに対してヘテロ接合型又はホモ接合型であり、前記突然変異体Ｓｏｌｙｃ０３ｇ１１４８４０遺伝子又はそのホモログに対してヘテロ接合型又はホモ接合型である、請求項８に記載の遺伝子組み換えナス科（Ｓｏｌａｎａｃｅａｅ）植物。
【請求項１０】
前記遺伝子組み換えナス科（Ｓｏｌａｎａｃｅａｅ）植物が、前記突然変異体Ｓｏｌｙｃ１２ｇ０３８５１０遺伝子又はそのホモログ、及び前記突然変異体Ｓｏｌｙｃ０３ｇ１１４８４０遺伝子又はそのホモログをさらに含み、それぞれが、低次形態対立遺伝子である、請求項１〜９のいずれか一項に記載の遺伝子組み換えナス科（Ｓｏｌａｎａｃｅａｅ）植物。
【請求項１１】
突然変異体Ｓｏｌｙｃ１２ｇ０３８５１０遺伝子又はそのホモログ及び突然変異体Ｓｏｌｙｃ０３ｇ１１４８４０遺伝子又はそのホモログを含む遺伝子組み換えナス科（Ｓｏｌａｎａｃｅａｅ）植物であって、前記遺伝子組み換えナス科（Ｓｏｌａｎａｃｅａｅ）植物が、前記突然変異体Ｓｏｌｙｃ１２ｇ０３８５１０遺伝子又はそのホモログに対してホモ接合型であり、前記突然変異体Ｓｏｌｙｃ０３ｇ１１４８４０遺伝子又はそのホモログに対してヘテロ接合型である、遺伝子組み換えナス科（Ｓｏｌａｎａｃｅａｅ）植物。
【請求項１２】
前記突然変異体Ｓｏｌｙｃ１２ｇ０３８５１０遺伝子又はそのホモログが、ヌル対立遺伝子又は低次形態対立遺伝子であり、前記突然変異体Ｓｏｌｙｃ０３ｇ１１４８４０遺伝子又はそのホモログが、ヌル対立遺伝子又は低次形態対立遺伝子である、請求項１１に記載の遺伝子組み換えナス科（Ｓｏｌａｎａｃｅａｅ）植物。
【請求項１３】
前記遺伝子組み換えナス科（Ｓｏｌａｎａｃｅａｅ）植物が、トマト（ソラヌム・リコペルシカム（Ｓｏｌａｎｕｍ  ｌｙｃｏｐｅｒｓｉｃｕｍ））植物である、請求項１〜１２のいずれか一項に記載の遺伝子組み換えナス科（Ｓｏｌａｎａｃｅａｅ）植物。
【請求項１４】
前記突然変異体Ｓｏｌｙｃ０４ｇ００５３２０遺伝子若しくはそのホモログ、前記突然変異体Ｓｏｌｙｃ１２ｇ０３８５１０遺伝子若しくはそのホモログ、及び／又は前記突然変異体Ｓｏｌｙｃ０３ｇ１１４８４０遺伝子若しくはそのホモログが、技術的手段によって導入される、請求項１〜１３のいずれか一項に記載の遺伝子組み換えナス科（Ｓｏｌａｎａｃｅａｅ）植物。
【請求項１５】
前記突然変異体Ｓｏｌｙｃ０４ｇ００５３２０遺伝子若しくはそのホモログ、前記突然変異体Ｓｏｌｙｃ１２ｇ０３８５１０遺伝子若しくはそのホモログ、及び／又は前記突然変異体Ｓｏｌｙｃ０３ｇ１１４８４０遺伝子若しくはそのホモログが、化学的又は物理的手段によって導入される、請求項１〜１４のいずれか一項に記載の遺伝子組み換えナス科（Ｓｏｌａｎａｃｅａｅ）植物。
【請求項１６】
前記突然変異体Ｓｏｌｙｃ０４ｇ００５３２０遺伝子若しくはそのホモログ、前記突然変異体Ｓｏｌｙｃ１２ｇ０３８５１０遺伝子若しくはそのホモログ、及び／又は前記突然変異体Ｓｏｌｙｃ０３ｇ１１４８４０遺伝子若しくはそのホモログが、ＣＲＩＳＰＲ／Ｃａｓ９、化学的突然変異生成、放射線、アグロバクテリウム（Ａｇｒｏｂａｃｔｅｒｉｕｍ）媒介組み換え、ウイルスベクター媒介組み換え、又はトランスポゾン突然変異生成を用いて導入される、請求項１５に記載の遺伝子組み換えナス科（Ｓｏｌａｎａｃｅａｅ）植物。
【請求項１７】
請求項１〜１６のいずれか一項に記載の遺伝子組み換えナス科（Ｓｏｌａｎａｃｅａｅ）植物から収穫される作物。
【請求項１８】
請求項１〜１６のいずれか一項に記載の遺伝子組み換えナス科（Ｓｏｌａｎａｃｅａｅ）植物を産生するための種子。
【請求項１９】
遺伝子組み換えナス科（Ｓｏｌａｎａｃｅａｅ）植物を産生するための方法であって、突然変異を、ナス科（Ｓｏｌａｎａｃｅａｅ）植物中のＳｏｌｙｃ０４ｇ００５３２０遺伝子又はそのホモログに導入し、それによって、突然変異体Ｓｏｌｙｃ０４ｇ００５３２０遺伝子又はそのホモログを含有する遺伝子組み換えナス科（Ｓｏｌａｎａｃｅａｅ）植物を産生することを含む、方法。
【請求項２０】
前記突然変異が、ＣＲＩＳＰＲ／Ｃａｓ９を用いて導入される、請求項１９に記載の方法。
【請求項２１】
前記突然変異が、Ｓｏｌｙｃ０４ｇ００５３２０遺伝子又はそのホモログのヌル対立遺伝子又は低次形態対立遺伝子を産生する、請求項１９又は２０に記載の方法。
【請求項２２】
前記方法が、Ｓｏｌｙｃ１２ｇ０３８５１０遺伝子又はそのホモログへの突然変異を前記ナス科（Ｓｏｌａｎａｃｅａｅ）植物に導入すること、突然変異をＳｏｌｙｃ０３ｇ１１４８４０遺伝子又はそのホモログに導入すること、又は前記突然変異を前記Ｓｏｌｙｃ１２ｇ０３８５１０遺伝子又はそのホモログに導入し、かつ前記突然変異を前記Ｓｏｌｙｃ０３ｇ１１４８４０遺伝子又はそのホモログに導入することをさらに含む、請求項１９〜２１のいずれか一項に記載の方法。
【請求項２３】
前記突然変異が、ＣＲＩＳＰＲ／Ｃａｓ９を用いて導入される、請求項２２に記載の方法。
【請求項２４】
前記突然変異体Ｓｏｌｙｃ０４ｇ００５３２０遺伝子若しくはそのホモログを含有する前記遺伝子組み換えナス科（Ｓｏｌａｎａｃｅａｅ）植物が、突然変異体Ｓｏｌｙｃ１２ｇ０３８５１０遺伝子若しくはそのホモログ、突然変異体Ｓｏｌｙｃ０３ｇ１１４８４０遺伝子若しくはそのホモログ、又は前記突然変異体Ｓｏｌｙｃ１２ｇ０３８５１０遺伝子若しくはそのホモログ及び前記突然変異体Ｓｏｌｙｃ０３ｇ１１４８４０遺伝子若しくはそのホモログの両方を含む別の遺伝子組み換えナス科（Ｓｏｌａｎａｃｅａｅ）植物と交配され、それによって、前記突然変異体Ｓｏｌｙｃ０４ｇ００５３２０遺伝子若しくはそのホモログ及び前記突然変異体Ｓｏｌｙｃ１２ｇ０３８５１０遺伝子若しくはそのホモログ、前記突然変異体Ｓｏｌｙｃ０３ｇ１１４８４０遺伝子若しくはそのホモログ、又は前記突然変異体Ｓｏｌｙｃ１２ｇ０３８５１０遺伝子若しくはそのホモログ及び前記突然変異体Ｓｏｌｙｃ０３ｇ１１４８４０遺伝子若しくはそのホモログの両方を含有する遺伝子組み換えナス科（Ｓｏｌａｎａｃｅａｅ）植物を産生する、請求項１９〜２１のいずれか一項に記載の方法。
【請求項２５】
前記遺伝子組み換えナス科（Ｓｏｌａｎａｃｅａｅ）植物が、トマト（ソラヌム・リコペルシカム（Ｓｏｌａｎｕｍ  ｌｙｃｏｐｅｒｓｉｃｕｍ））植物である、請求項１９〜２４のいずれか一項に記載の方法。
【請求項２６】
請求項１９〜２５のいずれか一項に記載の方法によって産生される又は得られる遺伝子組み換えナス科（Ｓｏｌａｎａｃｅａｅ）植物。
【請求項２７】
前記突然変異体Ｓｏｌｙｃ０４ｇ００５３２０遺伝子又はそのホモログが、高次形態対立遺伝子である、請求項１〜１６のいずれか一項に記載の遺伝子組み換えナス科（Ｓｏｌａｎａｃｅａｅ）植物。
【請求項２８】
前記遺伝子組み換えナス科（Ｓｏｌａｎａｃｅａｅ）植物が、前記突然変異体Ｓｏｌｙｃ０４ｇ００５３２０遺伝子又はそのホモログに対してヘテロ接合型又はホモ接合型である、請求項２７に記載の遺伝子組み換えナス科（Ｓｏｌａｎａｃｅａｅ）植物。
【請求項２９】
前記遺伝子組み換えナス科（Ｓｏｌａｎａｃｅａｅ）植物が、突然変異体Ｓｏｌｙｃ１２ｇ０３８５１０遺伝子若しくはそのホモログ、突然変異体Ｓｏｌｙｃ０３ｇ１１４８４０遺伝子若しくはそのホモログ、又は前記突然変異体Ｓｏｌｙｃ１２ｇ０３８５１０遺伝子若しくはそのホモログ及び前記突然変異体Ｓｏｌｙｃ０３ｇ１１４８４０遺伝子若しくはそのホモログの両方をさらに含む、請求項１〜１６、２７又は２８のいずれか一項に記載の遺伝子組み換えナス科（Ｓｏｌａｎａｃｅａｅ）植物。